(57)【要約】本発明は、異なるエネルギ消費レベルに対応する複数の動作モードで動作する、第１の通信インタフェースおよび第２の通信インタフェースを含む機器を制御する方法に関し、前記方法は、前記第１のインタフェースを介して第１のウェイクアップメッセージを受信すると前記第２の通信インタフェースを作動させるステップと、前記第２の通信インタフェースを介して第２のウェイクアップメッセージを受信するステップであって、前記第２のウェイクアップメッセージにより、結果として機器がスタンバイモードを終了するステップと、を含む。
2014522146.tif 000002
【特許請求の範囲】
【請求項１】
異なるレベルの電力消費に対応するいくつかの動作モードで動作し、第１の通信インタフェース（３３）および第２の通信インタフェース（３２）を備える機器（３）を制御する方法であって、前記機器において、
前記機器が電力消費の第１のレベルに対応する第１の動作モード（Ｓ１）にある場合に、前記第１のインタフェースを介して第１のウェイクアップメッセージを受信すると（Ｓ２）前記第２の通信インタフェースを作動させるステップであって（Ｓ３）、前記作動により、前記第１のレベルの電力消費よりも高い第２のレベルの電力消費になる、ステップと、
前記第２の通信インタフェースを介して第２のウェイクアップメッセージを受信するステップであって（Ｓ４）、前記第２のウェイクアップメッセージにより前記機器を第３のレベルの電力消費に対応する動作モードに遷移させ、前記第３のレベルの電力消費は、前記第２のレベルの電力消費よりも高い、ステップと、
を含む、前記方法。
【請求項２】
前記機器の前記動作モードは、前記機器に含まれる機能モジュールのサブセットの作動に対応し、前記機能モジュールのサブセットのそれぞれが前記機器の電力消費のレベルに対応する、請求項１に記載の方法。
【請求項３】
前記第１の動作モードは、前記第１のインタフェースのみが作動させられている前記機器の構成に対応する、請求項１または２に記載の方法。
【請求項４】
前記第２の動作モードは、前記第１のインタフェースおよび前記第２のインタフェースのみが作動させられている前記機器の構成に対応する、請求項１から３のいずれか一項に記載の方法。
【請求項５】
前記第１のインタフェースは、無線通信インタフェースである、請求項１から４のいずれか一項に記載の方法。
【請求項６】
前記第２のインタフェースは、イーサネットタイプのネットワークインタフェースである、請求項１から５のいずれか一項に記載の方法。
【請求項７】
前記第２のインタフェースは、８０２．１１の伝送規格と互換性を有する無線ネットワークインタフェースである、請求項１から６のいずれか一項に記載の方法。
【請求項８】
異なるレベルの電力消費に対応するいくつかの動作モードで動作し、第１の通信インタフェース（３３）および第２の通信インタフェース（３２）を備える機器（３）であって、
前記機器が第１のレベルの電力消費に対応する第１の動作モードにある場合に、前記第１のインタフェース（３３）を介して、第１のウェイクアップメッセージを受信すると前記第２のインタフェース（３２）を作動させる（３３０、３７、３９）ための手段であって、前記作動により、結果として前記第１のレベルの電力消費よりも高い第２のレベルの電力消費になる、前記手段と、
前記第２のインタフェース（３２）を介して第２のウェイクアップメッセージを受信すると前記機器（３）を制御する（３２０、３８、３６）ための手段であって、前記第２のウェイクアップメッセージにより前記機器を第３のレベルの電力消費に対応する動作モードに遷移させ、前記第３のレベルの電力消費は前記第２のレベルの電力消費よりも高い、前記手段と、
をさらに備える、前記機器（３）。
【請求項９】
前記機器の前記動作モードは、前記機器に含まれる機能モジュールのサブセットの作動に対応し、前記機能モジュールのサブセットのそれぞれが前記機器の電力消費のレベルに対応する、請求項８に記載の機器。
【発明の詳細な説明】
【技術分野】
【０００１】
本発明は、視聴覚番組の受信機復号器の分野に関し、より詳細にはスタンバイモード中の電力消費およびスタンバイモードの終了に関する。
【背景技術】
【０００２】
視聴覚番組の受信機／復号器は、ユーザにますます多くの機能を提供している。入力インタフェースによって区別することができる様々なタイプの復号器がある。ＤＴＴ（ディジタル地上波テレビ）信号の受信が可能なアンテナソケットに接続するものもあれば、事業者によって設置されたケーブルネットワークに接続されるものもあれば、さらにホームローカルネットワークまたはインターネットに接続されたモデムルータそのものに接続するためのネットワーク入力インタフェースを有するものもある。このネットワーク入力インタフェースを有する復号器の場合、復号器は、ＩＰＴＶ（インターネットプロトコルテレビ）の受信に向けられている。また、例えば、ＤＴＴチューナおよびイーサネット（登録商標）ネットワークインタフェース（ＩＥＥＥ８０２．３）などのいくつかの入力インタフェースを有するハイブリッドの復号器がある。この場合、復号器は、１つまたは他のインタフェースによって受信された番組を受信し再生することができる。
【０００３】
例えば、テレビ、コンピュータ、システム手帳、自動車電話、データ記憶装置およびプリンタなどの家庭用のディジタル製品の開発がますます行われ、それにより、ホームネットワークの媒介手段を介してそれらを相互接続させることが有利になる。一般にＬＡＮ（ローカルエリアネットワーク）と呼ばれるこのタイプのローカルネットワークは、（例えば、イーサネットタイプの接続による）有線であっても、もしくは（例えば、ＷｉＦｉ接続による）無線であってもよく、または互いに接続された機器間で２つのタイプの相互接続を組み合わせることができる。
【０００４】
現在、同一世帯においていくつかの視聴覚番組の復号器をリンクする構成が存在する。このようにして、例えば、家庭の異なる部屋で、視聴覚番組を共有する、またはいくつかの復号器にそれぞれ接続された、いくつかのテレビ受像機で、いくつかの異なる番組を見る選択肢などの機能がユーザに利用可能である。
【０００５】
したがって、信号のソースに接続された復号器が「マスタ」タイプであって、番組を再生する目的で、視聴覚番組に対応するデータが、「マスタ」復号器から、ローカルネットワークの媒介手段を介して「マスタ」復号器に接続されている「スレーブ」復号器と呼ばれる他の復号器に送信されうる構成が存在する。
【０００６】
多くの相互接続されたに機器を含む構成により、ユーザは便利な機能から恩恵を得ることができるが、それにもかかわらずこれらにより、機器の増設による高い電力消費が発生する。また、家庭用の機器の電力消費、および設備全体の、より一般的には世帯全体の電力消費を制御することがますます重要になりつつある。
【０００７】
現在、電力消費の指令が存在する。コンシューマ機器に対する設計段階中に、これらの指令を注意深く考慮しなければならない。
【０００８】
復号器が相互接続され、「マスタ」復号器が「スレーブ」復号器に対する視聴覚番組サーバとして使用される設備の場合、それが使用されていないときに、「マスタ」復号器を高い消費状態に維持しなければならないことは考えられない。「マスタ」復号器からの視聴覚番組の受信を望む「スレーブ」復号器は、「マスタ」復号器がスタンバイモードにある場合にそれをウェイクアップすることが可能であって、したがって、それができるだけ多くスタンバイモードにあるようにすることが可能でなければならない。「マスタ」復号器をウェイクアップするためのこの操作は、ローカルネットワークの媒介手段を介して実行されうる。スレーブ復号器は、例えば、「マスタ」復号器にメッセージを送信してスタンバイモードを終了するよう求め、リクエストされたサービス（複数可）を提供する。
【０００９】
機器をウェイクアップできることが必要であるということと相まって、電力消費における著しい低減という制約は、問題を引き起こす。できるだけ低い電力消費に対応するスタンバイモードを有することが必要であり、ウェイクアップ動作に使用されるインタフェースまたはモジュールが電力を消費することを考慮して機器をウェイクアップすることができることが必要である。
【００１０】
機器のスタンバイモードの終了がそのネットワークインタフェースの媒介手段（例えば、イーサネットまたはＷｉＦｉ）を介して制御される場合、ネットワークインタフェースは数ワットを消費する。この消費は、スタンバイモードにおける電力節減に悪影響を及ぼす。
【発明の概要】
【課題を解決するための手段】
【００１１】
本発明により、機器のスタンバイモードにおける消費を最適化することによって従来技術の欠点の少なくとも１つを解決することが可能となり、インタフェースの媒介手段を介してスタンバイモードの終了を制御することが可能となる。
【００１２】
より具体的には、本発明は、異なるレベルの電力消費に対応するいくつかの動作モードで動作し、第１の通信インタフェースおよび第２の通信インタフェースを備える機器を制御する方法に関し、本方法は、本機器において、機器が第１のレベルの電力消費に対応する第１の動作モードにある場合に、第１のインタフェースを介して第１のウェイクアップメッセージを受信すると第２の通信インタフェースを作動させるステップであって、この作動により、結果として第１のレベルの電力消費よりも高い第２のレベルの電力消費になるステップと、第２の通信インタフェースを介して第２のウェイクアップメッセージを受信するステップであって、第２のウェイクアップメッセージにより、結果として機器を第２のレベルの電力消費よりも高い第３のレベルの電力消費に対応する動作モードに遷移させるステップと、を含む。
【００１３】
本発明の実施形態によると、機器の動作モードは、機器内に含まれる機能モジュールのサブセットの作動に対応し、機能モジュールのサブセットのそれぞれが機器の電力消費のレベルに対応する。
【００１４】
本発明の実施形態によると、第１の動作モードは、第１のインタフェースのみが作動させられている機器の構成に対応する。
【００１５】
本発明の実施形態によると、第２の動作モードは、第１のインタフェースおよび第２のインタフェースのみが作動させられている機器の構成に対応する。
【００１６】
本発明の実施形態によると、第１のインタフェースは、無線通信インタフェースである。
【００１７】
本発明の実施形態によると、第２のインタフェースは、イーサネットタイプのネットワークインタフェースである。
【００１８】
本発明の実施形態によると、第２のインタフェースは、伝送規格８０２．１１と互換性を有する無線ネットワークインタフェースである。
【００１９】
また、本発明は、異なるレベルの電力消費に対応するいくつかの動作モードで動作し、第１の通信インタフェースおよび第２の通信インタフェースを備える機器であって、本機器は、機器が第１のレベルの電力消費に対応する第１の動作モードにある場合に、第１のインタフェースを介して第１のウェイクアップメッセージを受信すると第２のインタフェースを作動させるための手段であって、この作動により、結果として第１のレベルの電力消費よりも高い第２のレベルの電力消費となる手段と、第２のインタフェースを介して第２のウェイクアップメッセージを受信すると機器を制御するための手段であって、第２のウェイクアップメッセージにより、結果として機器を第２のレベルの電力消費よりも高い第３のレベルの電力消費に対応する動作モードに遷移させる手段と、をさらに備える。
【００２０】
本発明の実施形態によると、機器の動作モードは、機器内に含まれる機能モジュールのサブセットの作動に対応し、機能モジュールのサブセットのそれぞれが機器の電力消費のレベルに対応する。
【００２１】
第１のインタフェースに送られる第１のウェイクアップメッセージおよび第２のインタフェースに送られる第２のウェイクアップメッセージが、異なる機器によって送信することができ、これによりいくつかの機器間の相互作用を必要とする機能を実現する際に大きな柔軟性を提供するのが有利である。
【００２２】
本発明の利点の１つは、視聴覚番組受信機の標準アーキテクチャを考慮して２つの通信インタフェースを有する製品を設計する際に、本発明の実現が容易なことである。このタイプのコンシューマ製品の標準アーキテクチャ、および異なる動作モード（例えば、ディープスタンバイモード、ネットワークを伴うスタンバイモード、復号器モード、全機能モード）の実現は、新しい設計フェーズ中に、本発明を組込むために既存のアーキテクチャを適応させることが非常に簡単であること、したがって製品の使用中に、スタンバイモード中のネットワークインタフェースに電力を供給しなくても別の装置から装置をウェイクアップすることが可能であるといったようなことである。
【００２３】
添付の図面を参照して以下の説明を読むことによって、本発明がより一層理解され、他の具体的な機能および利点が明らかになるであろう。
【図面の簡単な説明】
【００２４】
【図１】本発明の特定の実施形態による、ホームネットワークを示す図である。
【図２】本発明の実施形態による、図１のようなホームローカルネットワークによって結合された「マスタ」復号器および「スレーブ」復号器を示す図である。
【図３】図２の復号器を図式的に示し、それらのアーキテクチャを詳細に示す図である。
【図４】番組復号器のスタンバイ終了を構成する連続したステップを示す機能図である。
【図５】図３に示すような復号器において、および本発明の実施形態においてスタンバイモードを終了するために使用される制御信号を示す図である。
【発明を実施するための形態】
【００２５】
図３および５において、図示されるモジュールは、物理的に識別可能なユニットに対応しても、または対応しなくてもよい機能ユニットである。例えば、これらのモジュールまたはそれらの一部は、単一の構成要素内で一緒にグループ化されてもよく、または同じソフトウェアの機能を構成してもよい。これに対して、一部のモジュールは、別々の物理的エンティティから構成されてもよい。
【００２６】
一般に、本発明は、限定されることなく、ローカルネットワークへの接続が作動している場合に、視聴覚番組復号器の動作モードを制御するための方法、特に復号器の低消費スタンバイモードから機能モードへの遷移に関する。
【００２７】
図１は、テレビ受像機５、６、７にそれぞれ接続された３つのテレビ復号器２、３および４そのものを一緒にグループ化したＬＡＮタイプのホームローカルネットワークを示す。復号器は、視聴覚番組を受信し、それらを記録し、テレビ受像機５、６および７などのディスプレイ装置上にそれらを再生させることができる機器である。復号器は、有線（例えば、イーサネット）または無線（例えば、タイプ８０２．１１のＷｉＦｉ）通信インタフェースによってＬＡＮネットワークに接続されている。ＬＡＮホームネットワークは、ゲートウェイ装置１の媒介手段を介してＷＡＮ（ワイドエリアネットワーク）タイプの外部の広帯域ネットワークに接続されている。ゲートウェイは、例えば、家庭をインターネット網に接続させ、サービスプロバイダー（オペレータ）を介してビデオオンデマンドおよびテレビ番組の受信を可能にするＡＤＳＬ（非対称ディジタル型加入者回線）モデムルータである。復号器２、３および４は、受信データを記録するための機器、例えば不揮発性メモリまたはハードディスクを備える。視聴覚番組を記録した復号器は、他の機能の中でもとりわけ、ＬＡＮホームローカルネットワークを介して別の復号器に対するローカルの番組サーバとして働くことができる。例えば、別の復号器に対する番組サーバとして動作する復号器は、「マスタ」復号器と呼ばれる。ＬＡＮネットワークを介して「マスタ」復号器によって送信された番組を受信する他の復号器は、「スレーブ」復号器と呼ばれる。このように相互接続された装置の電力消費は、その数を考えると甚大になることがある。したがって、可能な場合はそのたび毎に各装置をスタンバイモードに維持することが推奨される。例えば、復号器が番組の記録または再生の処理中にない場合、ユーザ動作によって、または予め規定した時間間隔にわたって使用されてないことをそれが検出した後、それをスタンバイモードにすることができる。
【００２８】
「マスタ」復号器によって記憶された視聴覚番組を見るためにユーザが「スレーブ」復号器を使用する場合、および「マスタ」復号器がスタンバイモードに置かれている場合、「マスタ」復号器をウェイクアップすることが必要である。いくつかの装置がＬＡＮネットワークを介して相互接続されるこのタイプの構成において、装置が、ネットワークを使用して別の装置にスタンバイモードを終了させるコマンド（または「ウェイクアップ」コマンド）を送ることは一般的である。「マジックパケット」の送信は、「ウェイクオンＬＡＮ」（「Ｗａｋｅ−ｏｎ  ＬＡＮ」）または「ＷｏＬ」と呼ばれる、２００６年６月１日付けのＬｉｅｂｅｒｍａｎ  Ｓｏｆｔｗａｒｅによる白書「Ｗａｋｅ  ｏｎ  ＬＡＮ  Ｔｅｃｈｎｏｌｏｇｙ」改訂２版に記載されたこのタイプの遠隔作動のために設計された方法である。この方法によって、ネットワークインタフェースが予め規定したシーケンスを含むデータフレームを受信したとき、装置のウェイクアップが作動させられる。しかし、このタイプの遠隔ウェイクアップは、ネットワークインタフェースが作動していることを必要とし、このことは、それに電力が供給されていることを必要とする。ネットワークインタフェースの消費は、数ワットになる場合があり、このことは全体の電力消費、より具体的には家庭用装置の電力消費を削減することを目指す勧告および指令に関して理想的でない。
【００２９】
図２は、ホームローカルネットワークによって相互接続された２つの復号器を示す。復号器３は、例えば、「スレーブ」復号器４に対するローカルの番組サーバとして動作することができる「マスタ」復号器である。「マスタ」復号器から「スレーブ」復号器への番組の伝送は、とりわけ、その実現がローカルネットワーク上の、または近隣の環境にある別の復号器よって復号器のウェイクアップを必要とする機能の一例である。例えば、復号器３に記憶された視聴覚番組の伝送をリクエストする前に、復号器３がスタンバイモードにある場合、復号器４は、復号器３をウェイクアップすることが可能でなければならない。同様に、復号器は、それ自体が有さないサービスを得るために別の復号器をウェイクアップしなければならないことを想像することができる。これは、例えば、データのスクランブル解除、遠隔支払い、認証、または他のインタフェースによって「マスタ」復号器に接続されたサードパーティの装置の制御であってもよい。
【００３０】
本発明の実施形態によると、ＷｉＦｉモジュールまたはイーサネットインタフェースなどのＬＡＮネットワークインタフェースに起因する消費を回避するために、復号器４は、非常に低レベルの電力消費を有する通信インタフェースを使用して復号器３にメッセージを送信する。このインタフェースは、例えば（ＩＥＥＥ８０２．１５．１規格に記載されるような）Ｂｌｕｅｔｏｏｔｈ（登録商標）無線インタフェースまたはＺｉｇＢｅｅ（登録商標）無線インタフェース（ＷＰＡＮ８０２．１５．４規格に基づく、無線パーソナルエリアネットワーク）などの、有線であってもまたは無線であってもよい。この低消費のインタフェースの電力消費レベルは、イーサネットインタフェースまたは８０２．１１インタフェースの消費レベルと比較して十分に低いため、復号器がスタンバイモードで動作しているときを含め、それに絶えず電力が供給された状態にしておくことが可能である。
【００３１】
本発明の実施形態によると、復号器４によって送信され、復号器３の低消費のインタフェースを介して受信されるメッセージにより、結果として復号器３のＬＡＮネットワークインタフェースを作動させる。メッセージは、例えば、Ｂｌｕｅｔｏｏｔｈ規格により規定された１つまたは複数のデータフレームによって運ばれる、知的所有権のあるタイプのメッセージである。また、メッセージは、ＺｉｇＢｅｅ規格、またはあるタイプの通信インタフェースに対応するデータの交換を規定する任意の他の伝送規格に従って規定された１つまたは複数のデータフレームによって運ばれる知的所有権のあるメッセージであってもよい。（特に図５を参照して、後述されるように）メッセージは、復号器３のＢｌｕｅｔｏｏｔｈインタフェースに含まれるウェイクアップモジュールによって解釈され、結果として制御信号を作動させ、この信号によりローカルネットワークインタフェースを作動させることができる識別子を含む。次いで、復号器３は、マジックパケットの送信によって遠隔ウェイクアップされうる（ウェイクオンＬＡＮ）。スタンバイモードを終了するためのこの２段階の方法により、「ディープスタンバイ」モードにある復号器を、受信可能な状態にして、メッセージの受信に応答してウェイクアップすること、およびその結果として、スタンバイモードへの遷移中にＬＡＮローカルホームネットワークに接続するためのインタフェース（複数可）を作動停止することによってその電力消費を低減することの両方が可能となる。
【００３２】
本発明の別の実施形態によると、復号器４によって送信されるメッセージは、あるタイプの通信インタフェースに対応する規格において規定される標準化されたメッセージであってもよく、このメッセージがこのタイプのインタフェースを備える機器のスタンバイモードの終了を制御するように意図される。
【００３３】
図３は、ＬＡＮホームローカルネットワークを介する２つの視聴覚番組復号器３および４の結合を示す。復号器３は、そのディジタルコアである制御ユニット３１を備える。制御ユニットは、マイクロプロセッサおよびメモリを備える。メモリは、復号器によってサポートされるすべてのアプリケーション、ルーチン、およびドライバに対応する実行可能コードが置かれる不揮発性記憶メモリ、およびアプリケーションの実行に特有のデータを記憶するための作業メモリの標準的な仕方で構成される。制御ユニットは、視聴覚番組復号器の標準的な機能要素、例えばトランスポートインタフェース、デマルチプレクサ、コンテンツアクセス制御、バッファメモリ、ならびにオーディオおよびビデオ復号化モジュールをさらに備え、ディスプレイ装置上で番組を再生する目的で、ディジタルデータストリームを復号化し、復号化された信号から出力信号を生成することができる。制御ユニットの詳細は、当業者によく知られており、本発明についての理解に直接寄与しないため図示されていない。また、復号器３は、ＬＡＮホームネットワークを介して番組を再生または番組を伝送する目的で番組を記録するためのハードディスクタイプのデータ記憶装置を備える。本発明の実施形態によると、復号器は、イーサネットインタフェース３２を使用してネットワークにインタフェースされる。このインタフェースは、有線であってもまたは無線であってもよく、装置がスタンバイモードに置かれている場合に、前記装置を遠隔から作動させるために、ウェイクオンＬＡＮ方法において規定されているようにマジックパケットを受信することができる。復号器３の可能性のある動作モードには、すべての要素が作動させられ、サービスをすべて利用可能にし、機能がすべて実現されるモードが含まれる。復号器３の別の動作モードは、復号器のすべての機能要素が、消費が非常に低いＢｌｕｅｔｏｏｔｈ通信インタフェース３３を除いてスタンバイにあるといったようなものである。Ｂｌｕｅｔｏｏｔｈ通信インタフェース３３のみが作動しているこのモードにより、結果としてスタンバイモードにある復号器の全体的な残りの消費が非常に低くなる。本発明によると、Ｂｌｕｅｔｏｏｔｈ通信インタフェース３３に加えて、ＬＡＮネットワークに接続するためのインタフェースに電力が供給される少なくとも１つの他の媒介手段のモードがある。この他の媒介手段のモードにおいて、消費は増加するが、それにもかかわらず複数の機能要素（またはモジュール）が作動しており、数多くの機能が利用可能な場合は、復号器の消費よりも低い状態を維持する。
【００３４】
復号器４は、構造上復号器３と同一である。復号器４は、制御ユニット４１、ＬＡＮネットワークインタフェース４２、低消費のインタフェース４３、およびハードディスク４４を備える。また、それは、「スレーブ」復号器として、その場合「マスタ」復号器として使用される復号器３と組み合わせて使用され、または逆に「スレーブ」モードにある復号器３に視聴覚番組を配信する「マスタ」復号器として使用されうる。
【００３５】
「スレーブ」モードにある復号器４がスタンバイモードで動作している復号器３から視聴覚番組を受信する準備をしているとき、それは、上記方法および以下の仕方、すなわち、復号器４の制御ユニット４１が、Ｂｌｕｅｔｏｏｔｈ無線通信インタフェース４３の媒介手段を介して復号器３に対して向けられたウェイクアップメッセージの送信を制御することにより、復号器３のスタンバイモードの終了を遠隔制御する。メッセージは、復号器４の近傍の環境においてＢｌｕｅｔｏｏｔｈ（短距離）伝送プロトコルに従って無線によって送信される。インタフェース４３の伝送場の範囲にある復号器３は、Ｂｌｕｅｔｏｏｔｈ通信インタフェース３３を介してウェイクアップメッセージを受信する。復号器３のＢｌｕｅｔｏｏｔｈインタフェース３３は、依然として作動しているが、復号器３の他の機能要素は作動していない。復号器３のＢｌｕｅｔｏｏｔｈインタフェース３３を介してウェイクアップメッセージを受信および認識することにより、結果として復号器３のＬＡＮネットワークインタフェース３２の作動信号の状態が変化する。本発明の実施形態によると、作動信号により、結果としてＬＡＮインタフェース３２へ電力供給するための回路が切り替わる。別の実施形態によると、インタフェース３２は、それをそれぞれ動作可能にまたは動作不能にする、ならびにインタフェース３２に対するスタンバイおよびウェイクアップコマンドに対応する、作動および作動停止制御入力部を有する１つまたは複数の集積回路を備える。低消費のインタフェース３３とＬＡＮローカルネットワークインタフェース３２間で作動信号をアサートすることにより、ＬＡＮネットワークを介してネットワークインタフェース３２に送られるウェイクオンＬＡＮタイプのウェイクアップメッセージの検出に対して、ネットワークインタフェース３２を受信可能にし、応答させる。ＬＡＮインタフェース３２に対する作動時間よりも長い期間の後、復号器４は、制御ユニット４１の制御の下で、およびそのローカルネットワークインタフェース４２の媒介手段を介して、「マジックパケット」タイプのウェイクアップメッセージをＬＡＮローカルネットワークの媒介手段を介して送信する。パケットの受け手として復号器３を指定するこの「マジックパケット」の受信により、結果として復号器３がスタンバイモードを終了し、その復号化およびその再生を目的として、復号器４のネットワークインタフェース４２を介してハードディスク３４上に記憶された番組の復号器４への伝送などのリクエストされたサービスにとって必要な機能を作動させる。
【００３６】
「マジックパケット」受信後の機能の作動は、スタンバイを終了する機器の予め定めた数量の機能モジュールに限定されるのが有利である。この作動は、例えば、外部装置がＬＡＮローカルネットワークインタフェースを介して通信することができるようにするＬＡＮローカルネットワークおよび関連づけられた制御論理にのみ関連することができる。また、この作動は、別の例によると、キーパッドを表示し管理するためのモジュール、遠隔制御用の受信モジュール、１つもしくは複数のＵＳＢインタフェース、ハードディスク、メモリモジュール、または機器に組み込まれた任意の他のモジュールもしくは一式のモジュールに関連することができる。機器の機能モジュールのサブセットのみの作動、ならびに機能およびサービスのサブセットがユーザに利用可能となるようにする利用可能性により、実際に複数の異なる機能モードが生成され、これらの複数の異なる機能モードが、とりわけ、ユーザに提供される選択肢およびこれらのモードのそれぞれに特有の電力消費によって特徴づけられる。
【００３７】
図４は、本発明の実施形態による、復号器の低消費スタンバイモードから動作モードへの遷移を示す機能図である。ステップＳ１において、復号器は、非常に低い電力消費のＢｌｕｅｔｏｏｔｈ通信インタフェースのみが作動しているスタンバイモードにある。ステップＳ２において、復号器は、Ｂｌｕｅｔｏｏｔｈ通信インタフェースの媒介手段を介してウェイクアップメッセージを待っている。ステップＳ３において、復号器は、ウェイクアップメッセージを受信し、Ｂｌｕｅｔｏｏｔｈ通信インタフェースがＬＡＮローカルネットワークインタフェースに対する作動信号を制御する。そのとき、インタフェースは、作動しており、復号器は、ＬＡＮネットワークインタフェースを介したマジックパケットの受信によってウェイクアップされうる。制御信号は、クロックもしくは電源スイッチング回路に基づいて機能することができ、またはＬＡＮネットワークインタフェースのすべてもしくは一部を構成する１つもしくは複数の集積回路の１つもしくは複数の有効化入力部に印加されうるのが有利である。ステップＳ４において、復号器は、マジックパケットを待っている。ステップＳ５において、マジックパケットの受信により、結果として復号器をウェイクアップし、必要な機能を作動させる。
【００３８】
図５は、番組復号器３のスタンバイモードの終了のために使用される手段、特に制御信号を詳細に示す。本発明の実施形態によると、電源モジュール３５は、電源線を供給する。電源線は、復号器を構成する異なる機能ブロックに電力を供給する。電源線は、電力が絶えず供給されるＢｌｕｅｔｏｏｔｈインタフェース３３に直接供給する。別の電源線は、作動回路３９を介してＬＡＮローカルネットワークインタフェース３２に供給する。作動回路３９は、Ｂｌｕｅｔｏｏｔｈインタフェース３３のウェイクアップモジュール３３０によって生成されるＬＡＮインタフェースの作動信号３７によって制御される。他の電源線は、各線を切断または接続するか、したがって、他の機能ブロック（３１、３４）に対応する電力供給電圧を印加するかまたはしないかを可能にする電源インタフェース３６を通過する。電源インタフェースは、ＬＡＮローカルネットワークインタフェース３２のＷｏＬ（ウェイクオンＬＡＮ）モジュール３２０によって生成されるスタンバイ終了制御信号３８そのものによって制御される。
【００３９】
本発明の実施形態によると、スタンバイモードに置かれた復号器３のＢｌｕｅｔｏｏｔｈ通信インタフェース３３は、ウェイクアップメッセージを受信することができる。入って来るメッセージは、Ｂｌｕｅｔｏｏｔｈインタフェース３３のウェイクアップモジュール３３０によって解釈される。受信されたメッセージが、例えば、データフレーム中の特定の識別子を認識することによって、復号器３に向けられたウェイクアップメッセージとして解釈される場合、ウェイクアップモジュール３３０は、ＬＡＮローカルネットワークインタフェース３２へ電力を供給するために、ＬＡＮローカルネットワークインタフェースの作動信号３７を設定して作動回路３９を制御する。次いで、復号器３に向けられた「マジックパケット」を受信すると、ＬＡＮローカルネットワークインタフェースのＷｏＬモジュールは、スタンバイ終了制御信号３８を設定して電源インタフェース３６を制御し、制御ユニット３１およびハードディスク３４の機能ブロックに供給すること、ならびにスタンバイモードを終了することを目的として電源線を接続する。次いで、復号器３は、スタンバイモードを終了し、制御ユニット３１およびハードディスク３４の動作を要求する機能が、したがって利用可能になる。これは、例えば、その復号化およびその再生を目的として、ＬＡＮローカルネットワークインタフェース３２の媒介手段を介して別の復号器へ視聴覚番組を伝送するケースである。
【００４０】
連続する２ステップのこのウェイクアップ方法により、復号器がスタンバイモードを終了することによって作動させられ、一方でＬＡＮネットワークインタフェースを作動した状態に維持する際の固有の電力消費を回避することができる。
【００４１】
したがって、復号器の電力消費は、著しく低減され、それによって家庭用装置の総消費を削減することを目指す指令の必要条件をよりよく満たすことが可能になる。
【００４２】
ホームネットワークを経由して復号器から別の復号器へ番組を伝送するという文脈において記載された本発明は、それにもかかわらず、少なくとも２つの通信インタフェース、およびいくつかのレベルの電力消費に対応するいくつかの動作モードを有する他の機器に関連する。
【００４３】
本発明は、例えばＷｉＦｉインタフェースおよびＢｌｕｅｔｏｏｔｈインタフェースなどの２つの通信インタフェースを備えるコンピュータに適用することができる。別の適用例は、典型的にはＮＡＳ（ネットワーク接続ストレージ）と呼ばれるローカルネットワーク上で使用されることが意図されたストレージサーバ装置であり、この装置は、近傍の環境に配置されたコンピュータによって、ならびに例えば第１のウェイクアップメッセージを送るＢｌｕｅｔｏｏｔｈインタフェースおよび「マジックパケット」を送るＷｉＦｉまたは有線のイーサネットインタフェースを使用して、ウェイクアップされうる。
【図１】
2014522146.tif 000003
【図２】
2014522146.tif 000004
【図３】
2014522146.tif 000005
【図４】
2014522146.tif 000006
【図５】
2014522146.tif 000007
【国際調査報告】
2014522146.tif 000008
2014522146.tif 000009
2014522146.tif 000010
2014522146.tif 000011
2014522146.tif 000012
2014522146.tif 000013